(57)【要約】  【課題】携帯情報端末装置を安定して保持できる同時に、携帯情報端末装置を保持している状態で、使用者の死角となる周囲の情報を観察者が得ることができる携帯情報端末装置を提供する。  【解決手段】情報入力部４を有する把持部３と、表示面１ａを有する表示部１と、光学的パワーを持つビームコンバイナ２と、ビームコンバイナ開閉部材６と、表示部開閉部材５とをする携帯情報端末装置であって、情報入力部４及びビームコンバイナ２が設けられた側の面とは異なる面からセンシング行うように、表示部１あるいは把持部３にセンサユニットを設けるようにした。【選択図】  図１
2006148349.tif 000002
【特許請求の範囲】
【請求項１】
情報入力部を有する把持部と、
前記情報入力部で入力した情報又は外部から得た情報を表示する表示面を有する表示部と、
ビームコンバイナと、
前記ビームコンバイナを、前記表示部に対して開閉可能に支持するビームコンバイナ開閉部材と、
前記表示部を、前記把持部に対して開閉可能に支持する表示部開閉部材と、
前記表示部あるいは前記把持部に設けられ、所定の面を介してセンシングを行うセンサユニットとを備え、
前記所定の面は、前記情報入力部及び前記ビームコンバイナが設けられた側の面とは異なる面に設けたことを特徴とする携帯情報端末装置。
【請求項２】
前記所定の面を、使用時に使用者と反対側にある面に設けたことを特徴とする請求項１に記載の携帯情報端末装置。
【請求項３】
前記所定の面を、使用時に使用者の後方に向いた面に設けたことを特徴とする請求項１乃至請求項２の何れか１項に記載の携帯情報端末装置。
【発明の詳細な説明】
【技術分野】
【０００１】
本発明は液晶パネルなどの表示素子を有する携帯情報端末装置に関する。
【背景技術】
【０００２】
近年、一人の人間が複数のコンピュータを使用するネットワーク社会、いわゆるユビキタス・ネットワーク社会が提唱されている。ユビキタス・ネットワーク社会では、インターネット等の情報ネットワークに、いつでも、どこからでもアクセスできる環境が実現できる。このようなアクセスに使う携帯情報端末装置は、パソコンに限られず、例えば携帯電話等も用いることができる。
【０００３】
また、携帯電話も、通話とディスプレイ認識とを同時に行える表示機能付き携帯情報端末装置としての構成が提案されている（例えば、特許文献１参照。）。特許文献１に開示されている構成では、小型のディスプレイをホログラム素子により遠方に拡大投影する。これにより、例えば、使用者は通話をしながら、表示画像情報を見ることができる。さらに、使用者は、ホログラム素子を介して、遠方の物体の透過像を同時に観察できる。この表示機能付き携帯情報端末装置は、実視野の像に重畳させてデジタル情報を表示する、いわゆるシースルービュアー（ｓｅｅ−ｔｈｒｏｕｇｈ  ｖｉｅｗｅｒ）として用いることができる。
【特許文献１】特開２００１−３０８９９７号公報
【発明の開示】
【発明が解決しようとする課題】
【０００４】
しかしながら、従来技術の表示機能付き携帯情報端末装置では、携帯情報端末装置の使用時に、使用者の視界には装置によって死角が生じてしまう。そのため、使用者はその死角側の情報を得ることができない。その結果、例えば、側方から車や人が近づいてきて衝突しそうになっていても、使用者はこれらの車や人を認知できない場合がある。また、後方についても同様のことがいえる。
【０００５】
本発明は、上記に鑑みてなされたものであって、携帯情報端末装置を保持している状態で、使用者が死角となっている周囲の情報を使用者が得ることができる携帯情報端末装置を提供することを目的とする。
【課題を解決するための手段】
【０００６】
上記目的を達成するため、本発明による携帯情報端末装置は、情報入力部を有する把持部と、前記情報入力部で入力した情報又は外部から得た情報を表示する表示面を有する表示部と、ビームコンバイナと、前記ビームコンバイナを前記表示部に対して開閉可能に支持するビームコンバイナ開閉部材と、前記表示部を前記把持部に対して開閉可能に支持する表示部開閉部材と、前記表示部あるいは前記把持部に設けられ所定の面を介してセンシングを行うセンサユニットとを備え、前記所定の面は前記情報入力部及び前記ビームコンバイナが設けられた側の面とは異なる面に設けてあることを特徴とする。
【０００７】
また、本発明の携帯情報端末装置においては、前記所定の面を、使用時に使用者とは反対側にある面に設けることが好ましい。
【０００８】
また、本発明の携帯情報端末装置においては、前記所定の面を、使用時に使用者の後方に向いた面に設けることが好ましい。
【発明の効果】
【０００９】
本発明によれば、携帯情報端末装置を保持している状態で、死角となっている周囲の情報を使用者が得ることができる携帯情報端末装置を得ることができる。
【発明を実施するための最良の形態】
【００１０】
実施例の説明に先立ち、本発明の作用効果について説明する。
図１は、一実施形態に係る携帯情報端末装置における、携帯情報端末装置の表示部とビームコンバイナとの位置、及びこれらと使用者の目との関係を示している。
【００１１】
携帯情報端末装置は、表示面１ａを有する表示部１と、ビームコンバイナ２と、情報入力部４を有する把持部３とを有している。表示面１ａは、画像（情報）を表示する。ビームコンバイナ２は、光学的パワーを持つ。この光学的パワーは、表示面１ａに表示された画像（情報）を拡大するようなパワーである。このビームコンバイナ２は、ハーフミラーで構成されている。また、把持部３と表示部１の接続部には、表示部開閉部材５が設けられている。また、表示部１とビームコンバイナ２の接続部には、ビームコンバイナ開閉部材６が設けられている。そして、表示部１に、センサユニット７が設けられている。なお、図１中、Ｅは使用者の眼球である。
【００１２】
表示部１の表示面１ａに表示された画像（情報）は、ビームコンバイナ２で反射されて使用者の瞳Ｅに導かれる。使用者の瞳Ｅから、ビームコンバイナ２を隔てた所定の位置に、表示面１ａに表示された画像（情報）の虚像が、拡大形成される。よって、使用者は、この虚像を拡大観察できる。
【００１３】
センサユニット７は、表示部１の一面１ｓからセンシングを行うように配置されている。この面１ｓは、ビームコンバイナ２が設けられている面とは異なる面である。本実施形態では、面１ｓは、ビームコンバイナ２が設けられた面とは反対側の面（裏面）である。図１では、使用者は、把持部３を右手で掴んで、携帯情報端末装置を保持する。よって、センサユニット７は、使用者に接する側とは反対側にある面に配置されていることになる。
【００１４】
このような使用状態において、センサユニット７は、使用者の右側の状況をセンシングする。すなわち、センサユニットで検出した信号に基づいて、人や自動車等の物体の接近の有無及び程度を検出する。そして、その検出結果に基づいて、物体が使用者に近づいているか否かを判断する。そして、物体が使用者に近づいている場合、表示面１ａに接近を知らせる情報を表示する。表示された情報は、ビームコンバイナ２によって使用者の目に向けて反射される。このようにすれば、例えば、人が側方から接近してきた場合に、使用者は、その接近を認識することができる。
【００１５】
なお、破線で示すように、センサユニット７を把持部の一面３ａに設けてもよい。面３ａは、ビームコンバイナ２が設けられている面とは異なる面であり、情報入力部が設けられている面とも別な面である。そして、センシング方向が使用者の後方となるように、センサユニット７を位置決めする。このようにすれば、物体が使用者の後方から接近してきた場合に、使用者はその接近を認識することができる。
【００１６】
また、センサユニット７を面１ｓ及び面３ａの両方の位置に設けてもよい。また、使用者に物体の接近を知らせる方法としては、スピーカーから警告音を発するようにしても良いし、携帯情報端末装置を振動させても良い。
【００１７】
なお、本実施形態の携帯情報端末では、表示面１ａで表示された画像をビームコンバイナ２で反射して、使用者の瞳に導くように構成している。このような構成の携帯情報端末装置においては、ビームコンバイナ２が、表示面１ａに対して偏心配置されている。このため、ビームコンバイナ２を介して観察される像に偏心収差が生じやすい。
【００１８】
しかるに、本実施形態では、ビームコンバイナ２に非対称なパワーを持たせている。具体的には、仮想線Ｌに沿う方向において、徐々にパワーが変化するように、ビームコンバイナ２の光学面を形成する。このようにすれば、表示面１ａに対しビームコンバイナ２が偏心していることにより偏心収差が発生しても、この偏心収差を補正することができる。
【００１９】
以下、本発明の実施例について、図面を用いて説明する。
【実施例１】
【００２０】
図２は、実施例１の携帯情報端末装置を、側方からみた概略図である。ここで、（ａ）は表示部を閉じた状態、（ｂ）は表示部を展開した状態、（ｃ）は（ｂ）の状態からビームコンバイナを展開した状態を示している。図３は、携帯情報端末装置における表示部とビームコンバイナ、及びビームコンバイナと使用者の瞳位置との関係を示す説明図である。
【００２１】
実施例１の携帯情報端末装置は、表示面１ａを有する表示部１と、光学的パワーを有するビームコンバイナ２と、情報入力部４を有する把持部３と、表示部開閉部材５を有している。ここで、表示面１ａは、情報入力部４で入力した情報、又は外部から受信した情報を表示する。また、表示部開閉部材５は、表示部１を把持部３に対して開閉可能に支持している。このような構成により、実施例１の携帯情報端末装置は、所謂折り畳みタイプの携帯電話機として構成されている。
【００２２】
そして、更に、ビームコンバイナ２がビームコンバイナ開閉部材６を介して、表示部１に接続されている。この接続位置は、表示部１の一端側であって表示部開閉部材５と対向する位置である。このビームコンバイナ開閉部材６によって、表示部１に対して所定の角度でビームコンバイナ２を固定することができる。このような構成により、図３に示すように、実施例１の携帯情報端末装置はシースルービュアーとしても構成されている。
【００２３】
表示部開閉部材５は、図４（ａ）に示すように、円筒部５ｂと円筒部５ａと、バネ５ｃと、球状部材５ｄと、ピン５ｅと、止め具５ｆを有している。ここで、図４（ｂ）に示すように、円筒部５ｂは、表示部１の一端に一体形成されている。また、円筒部５ａは、把持部３の一端に一体形成されている。
【００２４】
円筒部５ａには、長手方向に沿って、中央に貫通孔５ａ1が形成されている。そして、円筒部５ａの一端には、ピン５ｅの頭部を収納するための凹部５ａ2が、他端には、バネ５ｃを取り付けるための取付部（図示省略）が、それぞれ形成されている。
【００２５】
円筒部５ｂの中央には、長手方向に沿って、中央に貫通孔５ｂ1が形成されている。そして、円筒部５ｂの一端には、止め具５ｆを収納するための凹部（図示省略）が、他端には、球状部材５ｄの一部を嵌合可能な係止溝５ｂ2，５ｂ3が、それぞれ形成されている。
【００２６】
そして、表示部開閉部材５では、バネ５ｃを円筒部５ａの取付部に取り付けるとともに、バネ５ｃの先端に球状部材５ｄを取り付けている。そして、この状態で、ピン５ｅを円筒部５ａの凹部５ａ2側から、円筒部５ａ，５ｂの貫通孔５ａ1，５ｂ1に通し、その先端を止め具５ｆで止めている。このような構成により、表示部開閉部材５は、表示部１を把持部３に対し開閉可能に支持している。
【００２７】
また、表示部開閉部材５では、表示部１を展開したときに、球状部材５ｄが係止溝５ｂ2，５ｂ3に嵌合し、且つ、バネ５ｃに付勢される。このようにすることで、表示部１と把持部３を、任意の角度で固定することができるようになっている。
【００２８】
なお、表示部開閉部材５の具体的な構成は、上記構成に限定されるものではない。例えば、円筒部５ａ，５ｂのそれぞれに磁石を備えた係止部を設け、互いの係止部が当接したときに、表示部１と把持部３が固定されるように構成してもよい。
【００２９】
ビームコンバイナ開閉部材６は、円筒部６ａと係止部６ｂと、円筒部６ｃと、係止爪６ｃ2と、図示省略したピン及び止め具を有している。ここで、円筒部６ａと係止部６ｂは、表示部１の他端に一体形成されている。一方、円筒部６ｃは、ビームコンバイナ２の一端に一体形成されている。また、係止爪６ｃ2は、円筒部６ｃに一体形成されている。
【００３０】
円筒部６ａ，６ｃには、中央に貫通孔６ａ1，６ｃ1がそれぞれ形成されている。係止部６ｂ及び係止爪６ｃ2にはそれぞれ磁石が設けられている。
【００３１】
そして、ビームコンバイナ開閉部材６は、図示省略したピンを円筒部６ａ，６ｃの貫通孔６ａ1，６ｃ1に通し、その先端を図示省略した止め具で止めて構成されている。このような構成により、ビームコンバイナ開閉部材６は、ビームコンバイナ２を、表示部１に対し開閉可能に支持している。
【００３２】
また、ビームコンバイナ開閉部材６は、ビームコンバイナ２を展開したときに、係止爪６ｃ2が係止部６ｂに当接し、且つ、互いの磁力でその状態を保持することで、ビームコンバイナ２を表示部１に対して固定することができるようになっている。
【００３３】
なお、ビームコンバイナ開閉部材６は、上記構成に限定されるものではない。例えば、表示部開閉部材５における球状部材５ｄが係止溝５ｂ2，５ｂ3に嵌合し、且つ、バネ５ｃに付勢される構成と同様に構成してもよい。
【００３４】
このような構成によって、図３に示すように、表示面１ａに表示された情報が、使用者の瞳Ｅ方向に反射されるようになっている。このように、実施例１の携帯情報端末装置は、携帯電話としての使用と、シースルービュアーとしての使用が可能になる。
【００３５】
そして、実施例１の携帯情報端末装置では、センサユニットとして、撮像ユニット８が、表示部１内に設けられている。この撮像ユニット８は、面１ｓ側の被写体を撮影する。この面１ｓは、ビームコンバイナ２が設けられている面とは異なる面である。また、この面１ｓは、情報入力部４が設けられている面とも異なる面である。本実施例では、図２で示すように、面１ｓは、ビームコンバイナ２が設けられた面とは反対側の面、すなわち、表示部１の裏面である。
【００３６】
撮像ユニット８は、図５に示すように、撮影レンズ８ａ、撮像素子８ｂ及びカバーガラス８ｃを有する。撮影レンズ８ａは、プリズム、負レンズ、正レンズからなる。なお、カバーガラス８ｃは、撮影用の窓となる。そして、このような構成において、撮影方向が使用者とは反対側の側方（ここでは、使用者の右側）となるように、撮影レンズ８ａと撮像素子８ｂが位置決めされている。
【００３７】
携帯情報端末装置は、メモリ１２を内蔵している。よって、撮像素子８ｂで撮影された画像は、一旦、メモリ１２に保存される。なお、メモリ１２は複数の画像を保存することができる容量を備えている。また、携帯情報端末装置は画像処理ユニット１３を内蔵している。そして、この画像処理ユニット１３で、所定の処理が行われる。
【００３８】
所定の処理とは、例えば、図６に示すようなものである。まず、撮影した画像のうち、時刻ｔn-1、ｔn、ｔn+1に撮影した画像を画像処理ユニット１３はメモリから読み出す（Ｓ１）。そして、画像処理ユニット１３は、３つの画像を比較して各画像に共通する画像を抽出する（Ｓ２）。ここでは、人の画像を共通の画像とする。続いて、画像処理ユニット１３は、人の画像について、その大きさの比較を行う（Ｓ３）。ここで、時間の経過に伴って画像の大きさが大きくなっていれば（Ｓ４）、画像処理ユニット１３は、その人が使用者に向かって近づいていると判断する。そこで、画像処理ユニット１３は、表示面１ａに人の接近を知らせる情報を表示させる（Ｓ５）。表示された情報は、ビームコンバイナ２によって、使用者の目に向けて反射される。このようにすれば、例えば、人が側方から接近してきた場合に、使用者はその接近を認識することができる。なお、時間が経過しても画像の大きさが大きくなっていない場合もある。その場合は、画像処理ユニットはなにも行わない。
【００３９】
物体の接近を知らせるにあたっては、文字や画像を、表示面１ａに表示させればよい。表示方法としては、例えば、以下のようなものが考えられる。
（１）物体が使用者に近づくにつれて、表示する文字や画像の大きさを変化させる。
（２）物体が使用者に近づくにつれて、表示する文字や画像の色を変化させる。
（３）物体が使用者に近づくにつれて、表示する文字や画像の点滅の速さを変化させる。
（４）物体が使用者に近づくにつれて、表示する文字や画像の濃度（明るさ）を変化させ      る。
（５）人や物体が使用者に近づくにつれて、表示する文字や画像の位置を変化させる。
【００４０】
なお、図５に示す構成では、撮影用の窓（カバーガラス８ｃ）が表示部１の裏面１ｓに設けられている。しかしながら、このような構成に限定されるわけではない。例えば、図７（ａ）に示すように、プリズムを表示部１から突出させる。このようにすれば、表示部１の側面１ｃに、撮像ユニット７（撮影用の窓）を設けることができる。また、撮像ユニット７を、図７（ｂ）に示すように、図５の配置と直交する方向に配置しても良い。
【００４１】
以上のように、本実施例の携帯情報端末装置は、シースルービュアーとして使用する場合、携帯情報端末装置を使用者の側頭部に当接させて保持する構成になっている。そのため、使用者の手及び携帯情報端末装置によって側面側の視界が遮られる。しかしながら、本実施例では携帯情報端末装置を保持した状態で、使用者とは反対側の装置の側面に撮像ユニットが配置されている。これにより、側面方向の状況を撮像ユニットで撮影できる。その撮影結果に基づいて、側面方向の状況を使用者に知らせることができる。すなわち、側面側の視界が遮られていても、使用者は側面方向の状況を確認することができる。
【実施例２】
【００４２】
図８は、実施例２にかかる携帯情報端末装置の概略構成を示す斜視図である。ここで、（ａ）は表示部を閉じた状態、（ｂ）は表示部を展開した状態、（ｃ）は（ｂ）の状態からビームコンバイナと表示面構成部を展開した状態を示している。図９は、携帯情報端末装置における表示部とビームコンバイナ、及びビームコンバイナと使用者の瞳位置との関係を示す説明図である。
【００４３】
実施例２の携帯情報端末装置は、表示部１と、光学的パワーを有するビームコンバイナ２と、情報入力部４を有する把持部３と、表示部開閉手段５を有している。ここで、表示部１は表示面１ａを含む表示面構成部１’と、表示面構成部１’の周りを囲む外枠部１”とを有している。表示面１ａは、情報入力部４で入力した情報、又は外部から受信した情報を表示する。また、表示部開閉手段５は、表示部１の外枠部１”を把持部３に対して開閉可能に支持している。このような構成により、実施例２の携帯情報端末装置は、所謂折り畳みタイプの携帯電話機として構成されている。
【００４４】
そして、更に、ビームコンバイナ２がビームコンバイナ開閉部材６を介して、表示部１に接続されている。この接続位置は表示部１の一端側であって、表示部開閉部材５と対向する位置である。このビームコンバイナ開閉部材６によって、表示部１に対して所定の角度でビームコンバイナ２を固定することができる。このような構成により、図９に示すように、実施例２の携帯情報端末装置はシースルービュアーとしても構成されている。
【００４５】
表示部開閉部材５、ビームコンバイナ開閉部材６は、実施例１で説明したとおりである。また、表示面回動部材９は、表示面構成部１’を外枠部１”に対して回動可能に支持し、且つ、表示面１ａを所定量回動させたときの状態を保持する構成を有する。表示面回動部材９としては、公知の回転機構を用いればよい。よって、具体的な構成について、詳細な説明は省略する。
【００４６】
そして、図１０に示すように、実施例２の携帯情報端末装置では、センサユニットとして超音波センサユニット１４が把持部３内に設けられている。この超音波センサユニット１４は、超音波発信部と超音波受信部とで構成されている。ここで、面３ａには開口部１５が設けられている。よって、超音波は面３ａ側から、開口部１５を介して外部に発信される。この面３ａは、ビームコンバイナ２が設けられている面とは異なる面である。また、この面３ａは情報入力部４が設けられている面とも異なる面である。なお、開口部１５にはカバーガラスなどを配置しておくと防塵の点で好ましい。
【００４７】
本実施例の携帯情報端末装置を、使用者がシースルービュアーとして使用したとする。図１０の場合、使用者は把持部３を左手で掴むことになる。この場合、親指以外の４本の指が把持部３の側面３ｂ側に位置する。このように保持すると、面３ａは使用者の後方に面することになる。よって、この面３ａの側から超音波が発信されることになる。このようにすれば、使用者の後方に物体が存在する場合、その動きを超音波センサユニット１４検出することができる。
【００４８】
すなわち、超音波を超音波発信部から発信し、超音波受信部で超音波の検出までにかかった時間に基づいて、使用者と物体までの距離を算出できる。この距離の算出は、公知の信号処理技術を用いればよい。よって、本実施例の携帯情報端末装置も信号処理装置（不図示）を有している。そして、算出した距離の情報に基づいて、実施例１と同様に、表示面１ａに物体の接近を知らせる情報を表示すればよい。
【００４９】
なお、多くの場合、携帯情報端末装置にはスピーカー１６が設けられている。そこで、本実施例では、スピーカー１６を使って物体の接近を音で知らせるようにしている。なお、スピーカー１６の位置は図１０に示す位置に限定されるものではない。
【００５０】
上述したように、本実施例の携帯情報端末装置はシースルービュアーとして使用する場合、ビームコンバイナ２が使用者の前方に位置する。よって、使用者は前方の情報を容易に得ることができる。一方、後方の情報を得ることは難しい。しかしながら本実施例では、携帯情報端末装置を保持した状態で、使用者の後方に向かって超音波センサユニットから超音波が発信されるようになっている。これにより、後方向の状況を超音波センサユニットで検出することができる。その結果、検出した結果に基づいて、後方向の状況を使用者に知らせることができる。すなわち、前を向いたまま使用者は後方の状況を確認することができる。
【実施例３】
【００５１】
図１１は、実施例３にかかる携帯情報端末装置の概略構成を示す斜視図である。ここで、（ａ）は表示部を閉じた状態、（ｂ）は表示部を展開した状態、（ｃ）は（ｂ）の状態からビームコンバイナを展開した状態を示している。図１２、携帯情報端末装置における表示部とビームコンバイナ、及びビームコンバイナと使用者の瞳位置との関係を示す説明図である。
【００５２】
実施例３の携帯情報端末装置は、表示面１ａを有する表示部１と、光学的パワーを有するビームコンバイナ２と、情報入力部４を有する把持部３と、表示部開閉手段５を有している。ここで、表示面１ａは情報入力部４で入力した情報、又は外部から受信した情報を表示する。また、表示部開閉手段５は表示部１を把持部３に対して開閉可能に支持する。このような構成により、実施例１の携帯情報端末装置は所謂折り畳みタイプの携帯電話機として構成されている。
【００５３】
そして、更に、ビームコンバイナ２がビームコンバイナ開閉部材６、ビームコンバイナ連結部材１０及びビームコンバイナ移動部材１１を介して表示部１に接続されている。このような構成により、図１２に示すように、実施例３の携帯情報端末装置はシースルービュアーとしても構成されている。
【００５４】
表示部開閉部材５は、実施例１で説明したとおりである。また、ビームコンバイナ連結部材１０は棒状の部材である。また、ビームコンバイナ開閉部材６、ビームコンバイナ移動部材１１は公知の回転機構を用いればよい。よって、具体的な構成について、詳細な説明は省略する。
【００５５】
ビームコンバイナ連結部材１０には、一端にビームコンバイナ２が接続され、他端は表示部１に接続されている。そして、ビームコンバイナ移動部材１１は、ビームコンバイナ連結部材１０を表示部１に対して移動可能に支持している。移動方向は、ビームコンバイナ２が表示面１ａから離れる方向である。なお且つ、ビームコンバイナ移動部材１１は、ビームコンバイナ連結部材１０を所定量移動させた時に、その位置での状態を保持できるような機構を有している。また、ビームコンバイナ開閉部材６は、ビームコンバイナ２をビームコンバイナ連結部材１０に対して開閉可能に支持している。なお且つ、ビームコンバイナ開閉部材６は、ビームコンバイナ２を所定量展開したとき、その位置での状態を保持できるような機構を有している。
【００５６】
そして、実施例３の携帯情報端末装置では、センサユニットとして実施例１の撮像ユニット８が表示部１内に設けられ、更に、アクティブ型のオートフォーカスユニット１７（以下、単にオートフォーカスユニット１７とする。）が把持部３に設けられている。ここで、撮像ユニット８は、実施例１と同様に、面１ｓ側の被写体を撮影するように配置されている。また、オートフォーカスユニット１７は、実施例２の超音波センサユニット１４と同様に、面３ａ側へ外部に光を射出するように配置されている。
【００５７】
オートフォーカスユニット１７は、図１３で示すように、発光素子（ＬＥＤ）１７ａ、投光レンズ１７ｂ、受光レンズ１７ｃ、受光素子（ＰＤ）１７ｄで構成されている。受光レンズ１７ｃの役割を、投光レンズ１７ｂに持たせても良い。いずれにせよ、このような構成は公知の構成である。
【００５８】
以上のように、本実施例の携帯情報端末装置は、シースルービュアーとして使用する場合、携帯情報端末装置を側頭部に当接させて保持する構成になっている。そのため、使用者の手及び携帯情報端末装置で側面側の視界が遮られる。また、後方の情報を得ることが難しい。
【００５９】
しかしながら、本実施例では、携帯情報端末装置を保持した状態で、使用者の側面に、撮像ユニットの撮影範囲が位置するようになっている。これにより、側面方向の状況を撮像ユニットで撮影できる。その結果、撮影した結果に基づいて、側面方向の状況を使用者に知らせることができる。すなわち、側面側の視界が遮られていても、前を向いたまま使用者は側面方向の状況を確認することができる。
【００６０】
更に本実施例では、携帯情報端末装置を保持した状態で、使用者の後方に向かってオートフォーカスユニットから光が射出されるようになっている。これにより、後方向の状況をオートフォーカスユニットで検出することができる。その結果、検出した結果に基づいて、後方向の状況を使用者に知らせることができる。すなわち、前を向いたまま使用者は後方の状況を確認することができる。
【図面の簡単な説明】
【００６１】
【図１】本発明の一実施形態にかかる携帯情報端末装置を示す図である。
【図２】実施例１の携帯情報端末装置を、側方からみた概略図であって、（ａ）は表示部を閉じた状態、（ｂ）は表示部を展開した状態、（ｃ）は（ｂ）の状態からビームコンバイナを展開した状態を示す図である。
【図３】実施例１の携帯情報端末装置における表示部とビームコンバイナ、及びビームコンバイナと使用者の瞳位置との関係を示す図である。
【図４】表示部開閉部材、ビームコンバイナ開閉の構造を示す図である。
【図５】実施例１の撮像ユニットの構造を示す図である。
【図６】撮像ユニットで撮影した情報を処理する工程を示すフローチャートである。
【図７】撮像ユニットの構造の変形例を示す図であって、（ａ）撮影用の窓を異なる位置に設けた例、（ｂ）光学系の配置方向を異ならせた例である。
【図８】実施例２の携帯情報端末装置を、側方からみた概略図であって、（ａ）は表示部を閉じた状態、（ｂ）は表示部を展開した状態、（ｃ）は（ｂ）の状態からビームコンバイナを展開した状態を示す図である。
【図９】実施例２の携帯情報端末装置における表示部とビームコンバイナ、及びビームコンバイナと使用者の瞳位置との関係を示す図である。
【図１０】実施例２の超音波センサユニットの配置位置を示す図である。
【図１１】実施例３の携帯情報端末装置を側方からみた概略図であって、（ａ）は表示部を閉じた状態、（ｂ）は表示部を展開した状態、（ｃ）は（ｂ）の状態からビームコンバイナを展開した状態を示す図である。
【図１２】実施例３の携帯情報端末装置における表示部とビームコンバイナ、及びビームコンバイナと使用者の瞳位置との関係を示す図である。
【図１３】実施例３のアクティブ型オートフォーカスユニットの配置位置を示す図である。
【符号の説明】
【００６２】
１          表示部
１’        表示面構成部
１”        外枠部
１ａ        表示面
１ｃ        表示部の一面（側面）
１ｓ        表示部の一面（裏面）
２          ビームコンバイナ
３          把持部
３ａ，３ｂ  把持部の側面
４          情報入力部
５          表示部開閉部材
５ａ，５ｂ，６ａ，６ｃ  円筒部
５ａ1，５ｂ1，６ａ1，６ａ2          貫通孔
５ａ2       凹部
５ｂ2，５ｂ3            係止溝
５ｃ        バネ
５ｄ        球状部材
５ｅ        ピン
５ｆ        止め具
６          ビームコンバイナ開閉部材
６ｂ        係止部
６ｃ２      係止爪
７          センサユニット
８          撮像ユニット
８ａ        撮影レンズ
８ｂ        撮像素子
８ｃ        カバーガラス
９          表示面回動部材
１０        ビームコンバイナ連結部材
１１        ビームコンバイナ移動部材
１２        メモリ
１３        画像処理ユニット
１４        超音波センサユニット
１５        開口部
１６        スピーカー
１７        アクティブ型のオートフォーカスユニット
１７ａ      発光素子(LED)
１７ｂ      投光レンズ
１７ｃ      受光レンズ
１７ｄ      受光素子(PD)
【図１】
2006148349.tif 000003
【図２】
2006148349.tif 000004
【図３】
2006148349.tif 000005
【図４】
2006148349.tif 000006
【図５】
2006148349.tif 000007
【図６】
2006148349.tif 000008
【図７】
2006148349.tif 000009
【図８】
2006148349.tif 000010
【図９】
2006148349.tif 000011
【図１０】
2006148349.tif 000012
【図１１】
2006148349.tif 000013
【図１２】
2006148349.tif 000014
【図１３】
2006148349.tif 000015